(57)【要約】【課題】  それに近づいた動物に侵入意欲を喪失させること等ができる動物侵入防止柵を提供する。【解決手段】  動物侵入防止柵１０を、動物侵入防止区画５０の境界線５１に沿った地面Ｇ上に立設される第一パネル１１と、第一パネル１１とは別体からなり、第一パネル１１における境界線５１よりも手前側で傾斜配置される網状の第二パネル１２とで構成し、第一パネル１１を突破するために第一パネル１１の手前側から第一パネル１１に近づいてきた動物６０の足元が、第二パネル１２の網の目に嵌まる、又は、第二パネル１２を形成する網線材が足裏に食い込むようにすることにより、その動物６０が第一パネル１１に近づく意欲を喪失するようにした。【選択図】  図１
2020062005.tif 000002
【特許請求の範囲】
【請求項１】
動物侵入防止区画の境界線に沿った地面上に第一パネルを設置する第一パネル設置工程と、
第一パネルとは別体からなる網状の第二パネルを、第一パネルにおける前記境界線よりも手前側で、手前側が地面付近となって奥側が地面から浮いた状態となるように傾斜配置する第二パネル設置工程と
を経ることによって施工され、
施工後は、第一パネルを突破するために第一パネルの手前側から第一パネルに近づいてきた動物の足元が第二パネルの網の目に嵌まる、又は、第二パネルを形成する網線材が足裏に食い込むようにすることにより、その動物が第一パネルに近づく意欲を喪失するようにした
ことを特徴とする動物侵入防止柵の施工方法。
【請求項２】
第一パネルとして、網状のものを用いるとともに、
第二パネルとして、その奥側の縁部に第一パネルの網の目に掛止させるための掛止部が設けられたものを用い、
前記掛止部を掛止させる第一パネルの網の目を切り替えることにより、第二パネルの傾斜角度を調節できるようにした
請求項１記載の動物侵入防止柵の施工方法。
【請求項３】
第二パネルにおける手前側の縁部の地面からの高さを０〜５ｃｍとし、
第二パネルにおける奥側の縁部の地面からの高さを、１０〜１００ｃｍとする
請求項１又は２記載の動物侵入防止柵の施工方法。
【請求項４】
第二パネルにおける手前側の縁部をアンカーで地面に固定する
請求項１〜３いずれか記載の動物侵入防止柵の施工方法。
【請求項５】
動物侵入防止区画の境界線に沿った地面上に立設される第一パネルと、
第一パネルとは別体からなり、第一パネルにおける前記境界線よりも手前側で、手前側が地面付近となって奥側が地面から浮いた状態となるように傾斜配置される網状の第二パネルと、
で構成され、
第一パネルを突破するために第一パネルの手前側から第一パネルに近づいてきた動物の足元が、第二パネルの網の目に嵌まる、又は、第二パネルを形成する網線材が足裏に食い込むようにすることにより、その動物が第一パネルに近づく意欲を喪失するようにした
ことを特徴とする動物侵入防止柵。
【請求項６】
請求項５記載の動物侵入防止柵を用いて動物の侵入を防止する動物侵入防止方法。
【発明の詳細な説明】
【技術分野】
【０００１】
本発明は、動物の侵入を防止するための動物侵入防止柵と、この動物侵入防止柵の施工方法と、この動物侵入防止柵を用いた動物侵入防止方法とに関する。
【背景技術】
【０００２】
農作物が野生動物に食い荒らされたり、人が野生動物に襲われたりといった獣害を防ぐため、動物の侵入を防止したい区画（動物侵入防止区画）の境界線に沿った地面上に柵（動物侵入防止柵）を設置することが行われている。この種の動物侵入防止柵１０としては、図７に示すように、地面に金網を立設しただけのものが挙げられる。しかし、金網を設置しただけの動物侵入防止柵１０では、動物の侵入を防止することができない。というのも、猪等の獰猛な動物や賢い動物は、動物侵入防止柵１０があっても、それに体当たりして動物侵入防止柵１０を破壊したり、動物侵入防止柵１０の下側の地面を掘り返して動物侵入防止柵１０を潜り抜けたり等、動物侵入防止柵１０を突破しようとするからである。
【０００３】
この点、特許文献１では、同文献の図１に示されるように、地面に対して手前側から奥側に向かって上向きに傾く状態となる柵本体部１と、柵本体部１を傾く状態に支える柵支持部２とを有し、柵本体部１及び柵支持部２は、左右方向に間隔をおいた複数の縦線材４と、前後方向に間隔をおいた複数の横線材５とを格子状に固定した金網３から形成された獣類侵入防止柵（動物侵入防止柵）が提案されている。
【０００４】
この特許文献１には、鹿や猪や狸等の獣類は、足元に異物が触れることを嫌う習性を有するところ（同文献の段落００３６）、上記のように、金網３で形成された柵部本体１を傾斜して配置することで、田畑や放牧地等に侵入しようとすると、同文献の図３に示されるように、足元が柵本体部１の後方端寄りの部分に入り込む状態となり（同文献の段落００３５）、獣類の田畑や放牧地等への侵入を効果的に防止することができる旨が記載されている。
【先行技術文献】
【特許文献】
【０００５】
【特許文献１】特開２０１７−０４２０８１号公報
【発明の概要】
【発明が解決しようとする課題】
【０００６】
しかし、特許文献１の動物侵入防止柵は、１枚の金網３を屈曲して形成され、金網３における屈曲位置よりも手前側が柵本体部１とされ、金網３における屈曲位置よりも奥側が柵支持部２となる（同文献の請求項１）ようになっている。換言すると、柵本体部１と柵支持部２とが一体的に連続した形状を有している。このため、特許文献１の動物侵入防止柵は、それを設置する環境や、侵入を防止しようとする動物の種類等に応じて、柵本体部１（侵入を試みる動物の足元に違和感を与える部分）の傾斜角度や長さ（金網３の屈曲位置から柵本体部１の手前側の縁部までの水平方向に沿った長さ）を調節するといったことができなかった。加えて、特許文献１の動物侵入防止柵は、猪等が鼻先で柵本体部１の手前側の縁部を持ち上げると、その全体が浮き上がって転倒し、動物侵入防止柵としての機能を果たせなくなるという欠点も有していた。また、特許文献１の動物侵入防止柵は、屈曲部分を有する立体的な形状を有しているため、運搬や保管の際に嵩張るだけでなく、その施工を行いにくいという欠点も有していた。
【０００７】
本発明は、上記課題を解決するために為されたものであり、それに近づいた動物に違和感を与えて、侵入意欲を喪失させることができるだけでなく、それを設置する環境や、侵入を防止しようとする動物の種類等に応じて、侵入を試みる動物の足元に違和感を与える部分の傾斜角度や長さを調節することができる動物侵入防止柵を提供するものである。また、侵入を試みる動物の足元に違和感を与える部分に加えられた力が全体に及びにくく、当該部分に浮き上がる向きの力が加えられても、動物の侵入を防止できる形態を維持することのできる動物侵入防止柵を提供することも本発明の目的である。さらに、運搬や保管の際に嵩張らず、施工が容易な動物侵入防止柵を提供することも本発明の目的である。さらにまた、この動物侵入防止柵の施工方法と、この動物侵入防止柵を用いた動物侵入防止方法を提供することも本発明の目的である。
【課題を解決するための手段】
【０００８】
上記課題は、
動物侵入防止区画の境界線に沿った地面上に第一パネルを設置する第一パネル設置工程と、
第一パネルとは別体からなる網状の第二パネルを、第一パネルにおける前記境界線よりも手前側で、手前側が地面付近となって奥側が地面から浮いた状態となるように傾斜配置する第二パネル設置工程と
を経ることによって施工され、
施工後は、第一パネルを突破するために第一パネルの手前側から第一パネルに近づいてきた動物の足元が第二パネルの網の目に嵌まる、又は、第二パネルを形成する網線材が足裏に食い込むようにすることにより、その動物が第一パネルに近づく意欲を喪失するようにした
ことを特徴とする動物侵入防止柵の施工方法
を提供することによって解決される。
【０００９】
このように、網状の第二パネルを第一パネルの手前側で傾斜配置することによって、動物侵入防止柵を突破しようと近づいてきた動物の足元が第二パネルの網の目に嵌まるか、第二パネルを形成する網線材が、蹄を持つ動物の弱点である足裏に食い込むようにすることが可能になる。したがって、その動物の足元に違和感を与えて、その動物の侵入意欲（第一パネルを突破しようとする意欲）を喪失させ、優れた動物侵入防止効果が奏されるようにすることが可能になる。
【００１０】
また、第二パネル（動物の足元に違和感を与える部分）を、第一パネル（第二パネルを支持等する部分）とは別体としたことによって、第一パネルに対する第二パネルの奥側の縁部の支持位置を変えると、第二パネルの傾斜角度や長さ（奥側の縁部から手前側の縁部までの水平方向に沿った長さ）を調節することができる。したがって、それを設置する環境や、侵入を防止しようとする動物の種類等に応じて、第二パネルの傾斜角度や長さを調節することが可能になる。加えて、第二パネルに浮き上がる向きの力が加えられても、少なくとも第一パネルに元の形態を維持させ、動物の侵入を防止する機能を保つことも可能になる。さらに、第一パネルと第二パネルを分離して積み重ねることができるため、動物侵入防止柵の運搬や保管を行いやすくすることもできる。加えて、平板状の第一パネルを地面に立設した後、その第一パネルに第二パネルを傾斜状態で支持させるといった施工ができるため、力のない女性や高齢者でも動物侵入防止柵を容易に施工することが可能になる。
【００１１】
本発明の動物侵入防止柵の施工方法において、第一パネルは、第二パネルの奥側の縁部を支持させることができるのであれば、その形態を特に限定されない。しかし、第一パネルとして、網状のものを用いることが好ましい。これにより、第一パネルを視認性に優れたものとするだけでなく、軽量で施工性に優れたものとすることが可能になる。加えて、第二パネルとして、その奥側の縁部に第一パネルの網の目に掛止させるための掛止部が設けられたものを用いると、その掛止部を掛止させる第一パネルの網の目を切り替えることによって、第二パネルの傾斜角度を多段階で調節することも可能になる。
【００１２】
本発明の動物侵入防止柵の施工方法において、第二パネルをどのような傾斜角度で設置するかは特に限定されない。しかし、第二パネルの手前側の縁部が地面から高い位置にあると、第二パネルの手前側の縁部と地面との間に動物が鼻先等を挿し込みやすくなる。このため、第二パネルの手前側の縁部は、できるだけ地面に近い低い位置となるようにする。具体的には、第二パネルにおける手前側の縁部の地面からの高さが、０〜５ｃｍの範囲とすることが好ましい。第二パネルにおける手前側の縁部の地面からの高さは、４ｃｍ以下とすることがより好ましく、３ｃｍ以下とすることがさらに好ましく、２ｃｍ以下とすることが最適である。
【００１３】
このとき、第二パネルの奥側の縁部も地面に近い低い位置にあると、第二パネルが地面に沿った箇所に位置するようになり（第二パネルが地面に置かれたような状態になり）、第二パネルの上面に足元を置いた動物が違和感を覚えにくくなる虞がある。このため、第二パネルにおける奥側の縁部の地面からの高さは、１０ｃｍ以上とすることが好ましい。第二パネルにおける奥側の縁部の地面からの高さは、１５ｃｍ以上とすることがより好ましく、２０ｃｍ以上とすることがさらに好ましい。第二パネルにおける奥側の縁部の地面からの高さは、その上限を特に限定されるものではないが、高くしすぎると、第二パネルとして長尺なものを使用しない限りは、必然的に第二パネルの傾斜角度が大きくなり、動物が足元を第二パネルに載せにくくなる虞がある。このため、第二パネルにおける奥側の縁部の地面からの高さは、通常、１００ｃｍ程度までとされる。
【００１４】
本発明の動物侵入防止柵の施工方法においては、第二パネルにおける手前側の縁部を、アンカーで地面に固定することも好ましい。また同様に、第一パネルにおける下縁部を、アンカーで地面に固定することも好ましい。これにより、第二パネルの手前側の縁部や第一パネルの下縁部が地面から浮き上がりにくくすることが可能になる。したがって、動物侵入防止柵をより突破が困難なものとすることが可能になる。
【００１５】
ところで、上記課題は、
動物侵入防止区画の境界線に沿った地面上に立設される第一パネルと、
第一パネルとは別体からなり、第一パネルにおける前記境界線よりも手前側で、手前側が地面付近となって奥側が地面から浮いた状態となるように傾斜配置される網状の第二パネルと、
で構成され、
第一パネルを突破するために第一パネルの手前側から第一パネルに近づいてきた動物の足元が、第二パネルの網の目に嵌まる、又は、第二パネルを形成する網線材が足裏に食い込むようにすることにより、その動物が第一パネルに近づく意欲を喪失するようにした
ことを特徴とする動物侵入防止柵
を提供することによっても解決される。
この動物侵入防止柵は、上記の本発明の動物侵入柵の施工方法で好適に用いることができるものとなっている。
【００１６】
また、上記課題は、上記の本発明の動物侵入防止柵を用いて動物の侵入を防止する動物侵入防止方法を提供することによっても解決される。これにより、猪等のように、獰猛で賢い動物であっても、侵入防止対象区域に侵入できないようにすることが可能になる。
【発明の効果】
【００１７】
以上のように、本発明によって、それに近づいた動物に違和感を与えて、侵入意欲を喪失させることができるだけでなく、それを設置する環境や、侵入を防止しようとする動物の種類等に応じて、侵入を試みる動物の足元に違和感を与える部分の傾斜角度や長さを調節することができる動物侵入防止柵を提供することが可能になる。また、侵入を試みる動物の足元に違和感を与える部分に加えられた力が全体に及びにくく、当該部分に浮き上がる向きの力が加えられても、動物の侵入を防止できる形態を維持することのできる動物侵入防止柵を提供することも可能になる。さらに、運搬や保管の際に嵩張らず、施工が容易な動物侵入防止柵を提供することも可能になる。さらにまた、この動物侵入防止柵の施工方法と、この動物侵入防止柵を用いた動物侵入防止方法を提供することも可能になる。
【図面の簡単な説明】
【００１８】
【図１】本発明の動物侵入防止柵を施工した状態を示した図である。
【図２】図１の動物侵入防止柵のうち１組の第一パネルと第二パネルとを抜き出して示した図である。
【図３】図１の動物侵入防止柵を第一パネル及び第二パネルに垂直な平面で切断した状態を示した断面図である。
【図４】第一パネルをそれに垂直な方向から見た状態を示した図である。
【図５】第二パネルをそれに垂直な方向から見た状態を示した図である。
【図６】第一パネル又は第二パネルの固定に用いるアンカーの一例を示した図である。
【図７】従来の動物侵入防止柵を施工した状態を示した図である。
【図８】他の実施態様の動物侵入防止柵を施工している様子を示した図である。
【図９】また別の実施態様の動物侵入防止柵を施工した状態を示した図である。
【図１０】図９の動物侵入防止柵を施工している途中の状態であって、第一パネルの上端部に継ぎ足しロッドを挿入している状態を示した図である。
【図１１】図９の動物侵入防止柵を施工している途中の状態であって、第一パネルの上端部に継ぎ足しロッドを挿入した後の状態を示した図である。
【図１２】図９〜１１の継ぎ足しロッドを拡大して示した斜視図である。
【図１３】図１２の継ぎ足しロッドをその中心線を含む平面で切断した状態を示した断面図である。
【図１４】継ぎ足しロッドの第一変形例を拡大して示した斜視図である。
【図１５】第一変形例の継ぎ足しロッドをその中心線を含む平面で切断した状態を示した断面図である。
【図１６】第二変形例の継ぎ足しロッドの正面側を示した斜視図である。
【図１７】第二変形例の継ぎ足しロッドの背面側を示した斜視図である。
【図１８】第二変形例の継ぎ足しロッドを上下に継ぎ足した状態を背面側から示した斜視図である。
【発明を実施するための形態】
【００１９】
本発明の動物侵入防止柵やその施工方法の好適な実施態様について、図面を用いてより具体的に説明する。図１は、本発明の動物侵入防止柵１０を施工した状態を示した図である。図２は、図１の動物侵入防止柵１０のうち１組の第一パネル１１と第二パネル１２とを抜き出して示した図である。図３は、図１の動物侵入防止柵１０を第一パネル１１及び第二パネル１２に垂直な平面で切断した状態を示した断面図である。図４は、第一パネル１１をそれに垂直な方向から見た状態を示した図である。図５は、第二パネル１２をそれに垂直な方向から見た状態を示した図である。
【００２０】
図１〜３では、説明の便宜上、ｘ軸とｙ軸とｚ軸とを示している。ｘ軸、ｙ軸及びｚ軸のそれぞれの向きは、図１〜３で共通している。また、図１等では、動物６０の侵入を防止する区画５０（動物侵入防止区画）として畑を図示しているが、動物侵入防止区画５０は、畑に限定されず、庭や道路等とすることもできる。また、図１等では、動物侵入防止区画５０への侵入を防止する動物６０として猪を図示しているが、動物６０は、猪に限定されず、鹿や猿等の他の動物とすることもできる。
【００２１】
本発明の動物侵入防止柵１０は、図１に示すように、互いに別体（別部材）からなる第一パネル１１と第二パネル１２とで構成される。第一パネル１１は、動物侵入防止区画５０の境界線５１に沿った地面Ｇ上に立設される。第一パネル１１は、開口部等を有さない連続面状を為す部材であってもよいが、本実施態様においては、網状の板材を第一パネル１１として用いている。この第一パネル１１は、動物６０による動物侵入防止区画５０への侵入を困難にする障壁としての機能を発揮する部分となっている。
【００２２】
一方、第二パネル１２は、第一パネル１１における境界線５１よりも手前側（図１におけるｙ軸方向負側）で上り傾斜で配置される網状の板材となっている。第二パネル１２は、その手前側の縁部が地面Ｇの付近となり、その奥側の奥側の縁部が地面Ｇから浮いた状態に傾斜配置される。この第二パネル１２は、動物侵入防止区画５０へ侵入しようと第一パネル１１に近づいてきた動物６０の足元に違和感を与える機能を発揮する部分となっている。
【００２３】
すなわち、動物侵入防止区画５０への侵入を試みる動物６０は、第一パネル１１を突破するため（第一パネル１１を乗り越えたり、第一パネル１１を破壊したり、第一パネル１１の下側を掘り返したりするため）に、第一パネル１１の手前側（ｙ軸方向負側）から第一パネル１１に近づいてくる。しかし、第一パネル１１の手前側には、第二パネル１２が傾斜配置されている。このため、第一パネル１１に近づいてきた動物６０は、第二パネル１２を踏んで、その足元が第二パネル１２の網の目に嵌まるか、又は、第二パネル１２を形成する網線材が動物６０の足裏に食い込むようになる。したがって、その動物６０は、足元に違和感を覚える。
【００２４】
猪等の動物６０は、足元に違和感を生ずることを極端に嫌う習性を有している。この点、上記のように、第二パネル１２によって、第一パネル１１に近づいてきた動物６０の足元に違和感を与えることで、その動物６０が第一パネル１１にそれ以上近づかないようにすることが可能になる。換言すると、第一パネル１１に近づこうとする動物６０のその意欲を喪失させ、その動物６０の動物侵入防止区画５０への侵入を防止することが可能となっている。
【００２５】
第二パネル１２の傾斜角度θ（図３）は、特に限定されない。しかし、第二パネル１２の傾斜角度θを小さくしすぎると、第二パネル１２が地面Ｇに置かれたような状態となり、動物６０（図１）が第二パネル１２を踏んでも足元に違和感を生じにくくなる虞がある。このため、第二パネル１２の傾斜角度θは、通常、１°以上とされる。第二パネル１２の傾斜角度θは、２°以上とすることが好ましく、３°以上とすることがより好ましい。
【００２６】
一方、第二パネル１２の傾斜角度θ（図３）を大きくしすぎると、動物６０（図１）が第二パネル１２を踏みにくくなる。加えて、動物６０（図１）が第一パネル１１だけでなく第二パネル１２も障壁として捉え、第二パネル１２に体当たり等の攻撃を加えるようになる虞もある。このため、第二パネル１２の傾斜角度θは、通常、３０°以下とされる。第二パネル１２の傾斜角度θは、２０°以下とすることが好ましく、１０°以下とすることがより好ましい。本実施態様において、第二パネル１２の傾斜角度θは、約４〜５°となっている。
【００２７】
既に述べたように、第二パネル１２における手前側（ｙ軸方向負側）の縁部の地面Ｇからの高さは、０〜５ｃｍの範囲とし、第二パネル１２における奥側（ｙ軸方向正側）の縁部の地面Ｇからの高さは、１０〜１００ｃｍの範囲とすることが好ましい。本実施態様において、第二パネル１２の手前側の縁部は、地面Ｇに接触するようにしており、第二パネル１２の手前側の縁部の地面Ｇからの高さは略０ｃｍとなっている。このため、猪等の動物６０（図１）が第二パネル１２の手前側の縁部と地面Ｇとの間に鼻先等を挿し込みにくくなっている。一方、第二パネル１２の奥側の縁部の地面Ｇからの高さは約２０ｃｍとなっている。
【００２８】
第一パネル１１と第二パネル１２は、別体からなるところ、本発明の動物侵入防止柵１０は、主に、第一パネル１１を地面Ｇに立設した後、その第一パネル１１に第二パネル１２を傾斜状態で支持させるという手順を経て施工することを想定したものとなっている。第二パネル１２の奥側の縁部は、第一パネル１１に対してボルト等で固定する構造を採用してもよい。しかし、この場合には、その作業に手間を要するだけでなく、第二パネル１２が第一パネル１１に一体化された状態となって、第二パネル１２に加えられた力が第一パネル１１に伝わりやすくなり、第一パネル１１が第二パネル１２ごとひっくり返されてしまうといった事態が生じる虞がある。このため、第二パネル１２の奥側の縁部は、第一パネル１１に対して着脱可能な状態で支持することが好ましい。
【００２９】
本実施態様においては、図４に示すように、第一パネル１１を、複数本の縦方向の網線材１１ａと、複数本の横方向の網線材１１ｂとからなる網状の板材によって形成したところ、図５に示すように、第二パネル１２の奥側の縁部に掛止部１２ｃを設けるとともに、図３に示すように、第二パネル１２の掛止部１２ｃを第一パネル１１の横方向の網線材１１ｂに掛止することで、第二パネル１２の奥側の縁部を第一パネル１１に支持させるようにしている。このため、掛止部１２ｃを網線材１１ｂに掛止させるという簡単な作業で、第二パネル１２を傾斜配置することが可能となっている。また、掛止部１２ｃを掛止させる第一パネル１１の網の目（横方向の網線材１１ｂ）を切り替えることによって、第二パネル１２の傾斜角度θを調節することも可能となっている。さらに、第二パネル１２に加えられた力を掛止部１２ｃの周辺で逃し、第一パネル１１に伝わりにくくすることも可能となっている。
【００３０】
第一パネル１１は、既に述べたように、地面Ｇに対して立設される。本実施態様においては、図４に示すように、第一パネル１１の下縁部に、突出部１１ｄを設けており、この突出部１１ｄを地中に埋め込むことで、第一パネル１１の下側に隙間ができない状態で第一パネル１１を立設することができるようにしている。本発明の動物侵入防止柵１０において、第一パネル１１は、障壁としての機能を有する部分であるところ、実際には、第二パネル１２によって動物６０（図１）は第一パネル１１に近づくことができないため、第一パネル１１には、従来の動物侵入防止柵ほどの耐久性は要求されない。このため、第一パネル１１は、突出部１１ｄを地中に埋め込む等、それ自体で地面Ｇに立設するようにしてもよいが、第一パネル１１の設置安定性が悪くなる等の問題が生ずる虞がある。
【００３１】
このため、本実施態様においては、図１及び図２に示すように、第一パネル１１を支えるための支持フレーム２０を所定間隔で設け、第一パネル１１の設置安定性を高めている。左右に隣り合う第一パネル１１は、図示省略の連結手段（結束バンド等）で互いに連結された構造とすると、隣り合う第一パネル１１の一体性を高めて、第一パネル１１の設置安定性や耐久性を高めることができる。さらに、本実施態様においては、図２に示すように、第一パネル１１の下縁部にアンカー３０ａを所定間隔ごとに打ち込み、第一パネル１１の下縁部を地面Ｇに固定している。このため、第一パネル１１が地面Ｇから浮き上がらないようにすることが可能となっている。
【００３２】
第一パネル１１を固定するアンカー３０ａは、特に限定されず、単純な形態のもの（例えば、テントの設置に用いられるペグであって、直線状の棒材の上端部を「Ｃ」字状に折り曲げたもの等）であってもよい。しかし、アンカー３０ａを単純な形態のものとすると、アンカー３０ａが地面Ｇから抜ける虞がある。このため、本実施態様においては、アンカー３０ａとして、図６に示すような、地面Ｇに打ち込むと簡単には抜けない構造を有する特殊なアンカー３０を使用している。図６は、第一パネル１１等の固定に用いるアンカー３０の一例を示した図である。
【００３３】
図６に示すアンカー３０は、アンカー本体３１と、アンカー別体３２とで構成されている。アンカー本体３１は、アンカー別体３２を挿入するための別体挿入部３１ａと、アンカー本体３１の下部における左右両側から回動により突出可能に設けられた可動片部３１ｂと、第一パネル１１等の固定対象物を保持するための対象物保持部３１ｃとを備えている。一方、アンカー別体３２は、その下部の左右にラチェット部３２ａが設けられている。アンカー本体３１の内部には、このラチェット部３２ａに噛み合うための左右一対の歯車部（図示省略）が設けられている。この歯車部は、可動片部３１ｂに連結されており、この歯車部が回転すると、可動片部３１ｂが矢印Ａの向きに回動して突出するようになっている。
【００３４】
このアンカー３０は、以下の手順１，２で第一パネル１１等の固定対象物を地面Ｇに固定するものとなっている。
［手順１］
可動片部３１ｂが閉じられた状態（アンカー本体３１の左右両側から突出していない状態）のアンカー本体３１を地中に打ち込む。アンカー本体３１の打ち込み作業は、アンカー本体３１の上端部に設けられた平板部をハンマー等で叩くことにより行う。このとき、アンカー本体３１の対象物保持部３１ｃに第一パネル１１の横方向の網線材１１ｂが収まるようにする。
［手順２］
地中に打ち込まれたアンカー本体３１の別体挿入部３１ａに対し、アンカー別体３２を挿入する。このとき、ラチェット部３２ａは、上記の歯車部に噛み合って、歯車部が回転し、可動片部３１ｂが矢印Ａの向きに回動して地中で左右に突出した状態となる。アンカー別体３２を挿入する際の抵抗が大きい場合には、アンカー別体３２の上端部に設けられた平板部をハンマー等で叩くとよい。
【００３５】
上記の手順１，２によって地中に打ち込まれたアンカー３０は、可動片部３１ｂが地中で左右に広がった状態となっているため、上側に引き抜こうとしても、可動片部３１ｂの抵抗によって容易には引き抜くことができない構造となっている。本実施態様においては、既に述べたように、第二パネル１２の手前側の縁部も地面Ｇに接触した状態に施工するところ、図２に示すように、この第二パネル１２の手前側の縁部もアンカー３０ｂで地面に固定している。第二パネル１２を固定するこのアンカー３０ｂにも、図６に示すアンカー３０を用いれば、第二パネル１２の手前側の縁部を地面Ｇに対して強固に固定することが可能になる。第一パネル１１の下縁部に設けた突出部１１ｄ（図４）と同様、第二パネル１２の手前側の縁部にも、図５に示すように、突出部１２ｄを設けており、この突出部１２を地中に埋め込むことができるようにしている。
【００３６】
第一パネル１１や第二パネル１２の素材は、必要な強度を有するものであれば特に限定されないが、通常、ステンレス鋼等の金属とされる。金属の表面には、亜鉛メッキ加工等の防錆加工を施すことが好ましい。また、第一パネル１１の網線材１１ａ，１１ｂ（図４）や、第二パネル１２の網線材１２ａ，１２ｂは、螺旋状に捩じられた構造のものを用いることもできる。これにより、第一パネル１１や第二パネル１２の強度を高め、動物侵入防止柵１０の耐久性をさらに高めることが可能になる。
【００３７】
第一パネル１１及び第二パネル１２は、その形態を特に限定されないが、通常、矩形状とされる。第一パネル１１は、動物６０（図１）に、そこに障壁があると認識させることができるのであれば、その目開きを特に限定されないが、通常、２０〜２５ｃｍとされる。一方、第二パネル１２は、動物６０の足元に違和感を与える部分であるため、侵入を防止しようとする動物６０の種類（特に、その動物６０の足裏のサイズ）等に応じて適宜決定される。例えば、猪の侵入を防止したい場合には、第二パネル１２の目開きは、通常、８〜１５ｃｍとされる。本実施態様において、第二パネル１２の目開きは、約１０ｃｍとなっている。
【００３８】
また、第一パネル１１や第二パネル１２の寸法も、侵入を防止しようとする動物６０の種類等によって異なり、特に限定されない。例えば、猪等の侵入を防止することを想定した場合には、第一パネル１１の高さは、１００〜１５０ｃｍの範囲とすることが好ましく、第二パネル１２の長さ（縦方向の網線材１２ａに沿った方向の長さ）は、１００〜１５０ｃｍの範囲とすることが好ましい。第一パネル１１や第二パネル１２の横幅（横方向の網線材１１ｂ，１２ｂに沿った方向の長さ）も特に限定されないが、狭くしすぎると、多数枚の第一パネル１１や第二パネル１２を施工する必要が生じ、広くしすぎると、第一パネル１１や第二パネル１２の１枚毎の寸法が大きくなり、運搬や施工がしにくいものとなる虞がある。このため、第一パネル１１や第二パネル１２の横幅は、通常、１００〜３００ｃｍの範囲とされ、好ましくは、１５０〜２５０ｃｍの範囲とされる。
【００３９】
ところで、上述した動物侵入防止柵１０において、支持フレーム２０は、動物侵入防止柵１０とは別体に設けられたものを事後的に設置するものとなっていた。また、上述した動物侵入防止柵１０は、その設置時には、第二パネル１２の掛止部１２ｃを、第一パネル１１の横方向の網線材１１ｂに掛止させ、その撤去時や運搬時等には、第二パネル１２の掛止部１２ｃを、第一パネル１１の横方向の網線材１１ｂから取り外し、第一パネル１１と第二パネル１２とを分離することを想定したものとなっていた。この点、動物侵入防止柵１０に対する支持フレーム２０の取り付け方に以下のような工夫を施すことによって、動物侵入防止柵１０を、掛止部１２ｃを網線材１１ｂに掛止して第一パネル１１と第二パネル１２とを連結した状態のまま、動物侵入防止柵１０を折り畳んで運搬等できるようにすることが可能になる。
【００４０】
図８は、他の実施態様の動物侵入防止柵１０を施工している様子を示した図である。図８の動物侵入防止柵１０において、支持フレーム２０は、第一リング２１と第二リング２２とを介して第一パネル１１に連結されている。このように、支持フレーム２０を２つのリング（第一リング２１及び第二リング２２）を介して第一パネル１１に取り付けることにより、支持フレーム２０は、第一パネル１２に対して、高い自由度で回動できる（例えば図８における矢印Ｂや矢印Ｃの方向に回動できる）ようになる。このため、支持フレーム２０の先端部に第三リング２３を設けておくと、動物侵入防止パネル１０の施工時（支持フレーム２０の使用時）には、支持フレーム２０を図８の矢印Ｂの向きに回動させて第三リング２３を第二パネル１２における横方向の網線材１２ｂの端部に嵌め込んで、支持フレーム２０を突っ張った状態とする一方、動物侵入防止パネル１０の運搬時等には、第一パネル１１に対して第二パネル１２を図８における矢印Ｄの向きに折り畳むとともに、支持フレーム２０を図８の矢印Ｃの向きに回動させて第三リング２３を第一パネル１１に設けた被固定部１１ｅに嵌め込んで固定することができるようになる。
【００４１】
また、本発明の動物侵入防止柵１０では、図１に示すように、複数枚の動物侵入防止柵１０を並べて施工するところ、隣り合う動物侵入防止柵１０の連結構造にも工夫を施すことができる。すなわち、図８に示すパネル連結具４０を用いると、隣り合う動物侵入防止柵１０を容易且つ強固に連結することが可能になる。このパネル連結具４０は、一本の金属線材を「Ｕ」字状に折り曲げて構成した一対のバネアーム４１，４２を有するものとなっている。それぞれのバネアーム４１，４２の下端部には、互いに係止可能なフック部が設けられており、また、それぞれのバネアーム４１，４２の中途部分には、第一パネル１１の横方向の網線材１１ｂに宛がうことが可能なように屈曲部が設けられている。このパネル連結具４０は、図８の矢印Ｆに示すように、その中間部分が隣り合う動物侵入防止柵１０における隣接する第一パネル１１ｄの後側に位置し、上記の屈曲部がそれぞれの動物侵入防止柵１０における横方向の網線材１１ｂの前側に位置する状態で、上記のフックを後側で互いに係合することにより、隣り合う動物侵入防止柵１０の境界部分に取り付けるものとなっている。これにより、ボルト等を用いることなく容易な方法で、パネル連結具４０の弾性により、隣り合う動物侵入防止柵１０を強固に取り付けることが可能になる。
【００４２】
ところで、上述した図１〜５の動物侵入防止柵１０では、猪の侵入を防止できたとしても、鹿のように跳躍力がある動物や、猿のように身軽な動物は、動物侵入防止柵１０を飛び越えたり、よじ登って越えたりする可能性がある。この点、以下の構成を採用することによって、動物侵入防止柵１０で鹿や猿の侵入をより確実に防止することが可能になる。
【００４３】
図９は、また別の実施態様の動物侵入防止柵１０を施工した状態を示した図である。図１０は、図９の動物侵入防止柵１０を施工している途中の状態であって、第一パネル１１の上端部に継ぎ足しロッド１３ａを挿入している状態を示した図である。図１１は、図９の動物侵入防止柵１０を施工している途中の状態であって、第一パネル１１の上端部に継ぎ足しロッド１３ａを挿入した後の状態を示した図である。
【００４４】
図９〜１１及び後掲する図１２，１３でも、図１〜５等と同様、ｘ軸とｙ軸とｚ軸とを示している。ｘ軸、ｙ軸及びｚ軸のそれぞれの向きは、図９〜１３で共通している。以下においては、説明の便宜上、図１〜５に示した動物侵入防止柵１０を「第一実施態様の動物侵入防止柵１０」と呼び、図９〜１３に示す動物侵入防止柵１０を「第二実施態様の動物侵入防止柵１０」と呼ぶことがある。第二実施態様の動物侵入防止柵１０については、第一実施態様の動物侵入防止１０と異なる部分についてのみ説明し、第一実施態様の動物侵入防止柵１０と共通する部分の説明を割愛する。第二実施態様の動物侵入防止柵１０で言及しない構成は、第一実施態様の動物侵入防止柵１０と同様の構成を採用することができる。
【００４５】
第一実施態様の動物侵入防止柵１０では、図２に示すように、第一パネル１１の上側には、何も配されていなかった。これに対し、第二実施態様の動物侵入防止柵１０では、図９に示すように、第一パネル１１の上側に延長パネル１３が取り付けられている。第二実施態様の動物侵入防止柵１０では、この延長パネル１３によって動物侵入防止柵１０の高さを増大させ、鹿のように跳躍力のある動物や、猿のように身軽な動物の侵入もより確実に防止することが可能となっている。第二実施態様の動物侵入防止柵１０において、延長パネル１３は、以下のように設けている。
【００４６】
すなわち、第一実施態様の動物侵入防止柵１０では、図２に示すように、第一パネル１１の最上縁部に横方向の網線材１１ｂが配されており、縦方向の網線材１１ａの上端部が突き出ていない状態となっていた。これに対し、第二実施態様の動物侵入防止柵１０では、図１０に示すように、第一パネル１１の最上縁部に横方向の網線材１１ｂを配しておらず、縦方向の網線材１１ｂの上端部が上方に突き出るようにしている。この縦方向の網線材１１ｂの上端部に、図１０及び図１１に示すように、継ぎ足しロッド１３ａを所定間隔で取り付けた後、継ぎ足しロッド１３ａ間に横線材１３ｂを張設するようにしている。これにより、動物侵入防止柵１０を上側に延長することができる。
【００４７】
延長パネル１３の高さ（継ぎ足しロッド１３ａの長さ）は、特に限定されないが、低すぎると、延長パネル１３を設ける意義が低下する。このため、延長パネル１３の高さは、通常、３０ｃｍ以上とされる。延長パネル１３の高さは、５０ｃｍ以上であることが好ましく、７０ｃｍ以上であることがより好ましい。延長パネル１３の高さに特に上限はないが、延長パネル１３の取り付けのバランス等を考慮すると、通常、１〜２ｍまでである。
【００４８】
継ぎ足しロッド１３ａは、第一パネル１１における全ての縦方向の網線材１１ａに取り付ける必要はない。図９〜図１１の例では、１０本おきに縦方向の網線材１１ａに継ぎ足しロッド１３ａを取り付けている。また、延長パネル１３を構成する横線材１３ｂは、１本のみ（１段のみ）に設けてもよいが、複数本（複数段で）設けることが好ましい。これにより、動物侵入防止柵１０の延長高さを増大することができる。横線材１３ｂとしては、ワイヤーロープや紐等の線状のもののほか、テープ状のものを使用することもできる。横線材１３ｂを導電性のものとし、横線材１３ｂに電流を流すことも可能である。これにより、動物の侵入をさらに確実に防止することが可能になる。横線材１３ｂに電流を流す構成は、猿に対して特に絶大な効果を発揮する。横線材１３ｂに電流を流す場合、全ての横線材１３ｂに電流を流してもよいが、最も上側の横線材１３ｂのみに流すようにすれば足りる。
【００４９】
継ぎ足しロッド１３ａは、第一パネル１１の上側に取り付けることができ、且つ、横線材１３ｂを調節できるものであれば、特に限定されないが、第二実施態様の動物侵入防止柵１０では、図１２及び図１３に示す態様の継ぎ足しロッド１３ａを用いている。図１２は、図９〜１１の継ぎ足しロッド１３ａを拡大して示した斜視図である。図１３は、図１２の継ぎ足しロッド１３ａをその中心線を含む平面で切断した状態を示した断面図である。
【００５０】
図１２及び図１３に示す継ぎ足しロッド１３ａは、上下方向（ｚ軸方向）に延びる棒状のものとなっている。継ぎ足しロッド１３ａの断面形状では、図１２に示すように、矩形状となっているが、円形状や、楕円形状や、多角形状等、他の断面形状を採用することもできる。また、継ぎ足しロッド１３ａは、太さを一定としてもよいが、第二実施態様の動物侵入防止柵１０では、図１２及び図１３に示すように、上細りのテーパー状に形成している。
【００５１】
継ぎ足しロッド１３ａには、図１３に示すように、その下端面から上向きに第一パネル取付孔１３ａ１が設けられている。この第一パネル取付孔１３ａ１は、上側パネル１１における縦方向の網線材１１ａの上端部を挿入するための部分となっており、網線材１１ａの上端部における上方に突き出た部分の高さと同じかそれ以上の深さに形成される。第二実施態様の動物侵入防止柵１０では、縦方向の網線材１１ａの上端部における上方に突き出た部分の高さを約１０ｃｍとしており、継ぎ足しロッド１３ａの第一パネル取付孔１３ａ１の深さを約１１ｃｍとしている。継ぎ足しロッド１３ａの下端部における第一パネル取付孔１３ａ１の開口部の脇には、下向き凸部１３ａ７を設けている。この下向き凸部１３ａ７は、継ぎ足しロッド１３ａの第一パネル取付孔１３ａに縦方向の網線材１１ａ（図１０）の上端部を挿入した際に、横方向の網線材１１ｂの外周部に当接する部分となっている。これにより、第一パネル１１に取り付けられた継ぎ足しロッド１３ａの安定性を高めることができるようになっている。
【００５２】
第一パネル取付孔１３ａ１は、その内径を一定としてもよいが、第二実施態様の動物侵入防止柵１０では、図１３に示すように、第一パネル取付孔１３ａ１をテーパー状に形成しており、上側になればなるほど、第一パネル取付孔１３ａ１の内径が小さくなるようにしている。このため、第一パネル取付孔１３ａ１に網線材１１ａを挿入しやすくする一方、第一パネル取付孔１３ａ１に網線材１１ａを一旦挿入した後は、第一パネル取付孔１３ａ１から網線材１１ａが抜けにくくすることができるようになっている。さらに、第二実施態様の動物侵入防止柵１０では、継ぎ足しロッド１３ａの第一パネル取付孔１３ａ１に第一パネル１１における網線材１１ａの上端部を挿入した後、継ぎ足しロッド１３ａの外周部からボルト等の挿入固定具（図示省略）を内方に挿入することで、当該挿入固定具の先端部で網線材１１ａの外周面を押圧し、第一パネル取付孔１３ａ１内で網線材１１ａを固定できるようにしている。
【００５３】
また、継ぎ足しロッド１３ａには、図１２及び図１３に示すように、横線材取付溝１３ａ２，１３ａ３，１３ａ４，１３ａ５，１３ａ６が設けられている。この横線材取付溝１３ａ２，１３ａ３，１３ａ４，１３ａ５，１３ａ６には、図９に示すように、横線材１３ｂが挿入される。これにより、それぞれの横線材１３ｂを張った状態で着いたしロッド１３ａに支持させることができるようになっている。継ぎ足しロッド１３ａの上端部に設けられた横線材取付溝１３ａ２は、一番上（最上段）に配される横線材１３ｂを取り付けるための部分となっており、継ぎ足しロッド１３ａの外周部に設けられた横線材取付溝１３ａ３，１３ａ４，１３ａ５，１３ａ６は、上から２段目に配される横線材１３ｂから一番下（最下段）に配される横線材１３ｂをそれぞれ取り付けるための部分となっている。
【００５４】
横線材取付溝１３ａ２，１３ａ３，１３ａ４，１３ａ５，１３ａ６のうち、継ぎ足しロッド１３ａの上端部の横線材取付溝１３ａ３は、継ぎ足しロッド１３ａの上端面から下向きに切り込みを設けることによって形成されている。一方、継ぎ足しロッド１３ａの外周部の横線材取付溝１３ａ３，１３ａ４，１３ａ５，１３ａ６は、継ぎ足しロッド１３ａの外周部に板状片部を上向きに形成することで設けられている。このような形態を有する継ぎ足しロッド１３ａは、例えば、樹脂を射出成型することによって形成することができる。横線材取付溝１３ａ２，１３ａ３，１３ａ４，１３ａ５，１３ａ６は、単純な棒状に形成された継ぎ足しロッド１３に後から切り込みを入れることによっても形成することができる。
【００５５】
横線材取付溝１３ａ２，１３ａ３，１３ａ４，１３ａ５，１３ａ６の配置や個数は、特に限定されない。しかし、横線材取付溝１３ａ２，１３ａ３，１３ａ４，１３ａ５，１３ａ６の個数（横線材１３ｂの本数）が少ないと、延長パネル１３の高さを確保できなくなり、延長パネル１３を設ける意義が低下する。このため、横線材取付溝１３ａ２，１３ａ３，１３ａ４，１３ａ５，１３ａ６の個数は、２個以上とすることが好ましい。横線材取付溝１３ａ２，１３ａ３，１３ａ４，１３ａ５，１３ａ６の個数は、３個以上であることがより好ましく、４個以上であることがさらに好ましい。横線材取付溝１３ａ２，１３ａ３，１３ａ４，１３ａ５，１３ａ６は、上下方向に１０〜２０ｃｍ間隔となるように設けることが好ましい。横線材取付溝１３ａ２，１３ａ３，１３ａ４，１３ａ５，１３ａ６の個数に特に上限はないが、通常、１０個程度までである。
【００５６】
続いて、継ぎ足しロッド１３ａの変形例について説明する。以下においては、継ぎ足しロッド１３ａの変形例として、２つの例（第一変形例及び第二変形例）を説明する。
【００５７】
まず、第一変形例の継ぎ足しロッド１３ａについて説明する。図１４は、継ぎ足しロッド１３ａの第一変形例を拡大して示した斜視図である。図１５は、第一変形例の継ぎ足しロッド１３ａをその中心線を含む平面で切断した状態を示した断面図である。第一変形例の継ぎ足しロッド１３ａについては、図１２及び図１３に示した継ぎ足しロッド１３ａ（以下において、「基本形の継ぎ足しロッド１３ａ」と呼ぶことがある。）と異なる部分についてのみ説明し、基本形の継ぎ足しロッド１３ａと共通する部分の説明を割愛する。第一変形例の継ぎ足しロッド１３ａで言及しない構成は、基本形の継ぎ足しロッド１３ａと同様の構成を採用することができる。
【００５８】
図１２及び図１３に示した基本形の継ぎ足しロッド１３ａでは、第一パネル１１における横方向の網線材１１ｂ（図９を参照）は、継ぎ足しロッド１３の下端部に設けた下向き凸部１３ａ７で支持されるようになっていた。また、基本形の継ぎ足しロッド１３ａは、第一パネル１１における横方向の網線材１１ｂのうち、最上段の網線材１１ｂのみに支持される構造となっていた。このため、基本形の継ぎ足しロッド１３ａは、第一パネル１１の上側に取り付けたとき（継ぎ足しロッド１３ａの第一パネル取付孔１３ａ１に第一パネル１１の縦方向の網線材１１ａを挿入したとき）に、継ぎ足しロッド１３ａの下端部近傍のみで支持されるようになるため、継ぎ足しロッド１３ａがぐらつく虞がある等、継ぎ足しロッド１３ａの安定性を保つことが必ずしも容易ではなかった。
【００５９】
これに対し、図１４及び図１５に示した第一変形例の継ぎ足しロッド１３ａでは、第一パネル取付孔１３ａ１を深く形成しており、継ぎ足しロッド１３ａの第一パネル取付孔１３ａ１に第一パネル１１における縦方向の網線材１１ａを挿入したときに、継ぎ足しロッド１３ａの下端が、第一パネル１１における横方向の網線材１１ｂのうち上から２段目のものに達するようにしている。このため、第一変形例の継ぎ足しロッド１３ａでは、横方向の網線材１１ｂを継ぎ足しロッド１３ａの下端から導き入れるためのスリット１３ａ８を第一パネル取付孔１３ａ１と略平行に設けている。
【００６０】
スリット１３ａ８における所定箇所（継ぎ足しロッド１３ａを第一パネル１１に取り付けたときに最上段の横方向の網線材１１ｂと、上から２段目の横方向の網線材１１ｂとが位置する箇所）には、第一パネル１１の横方向の網線材１１ｂを係止するための係止凹部１３ａ９を設けている。この係止凹部１３ａ９に横方向の網線材１１ｂを係止させることによって、横方向の網線材１１ｂに対して継ぎ足しロッド１３ａの上下位置を位置決めすることができるようになっている。第一変形例の継ぎ足しロッド１３ａのように、第一パネル取付孔１３ａ１を深く形成するとともに、スリット１３ａ８と係止凹部１３ａ９とを設けることによって、継ぎ足しロッド１３ａを第一パネル１１の上側に取り付けたときに、継ぎ足しロッド１３ａを安定させ、継ぎ足しロッド１３ａをぐらつきにくくすることが可能となる。
【００６１】
また、図１２及び図１３に示した基本形の継ぎ足しロッド１３ａでは、延長パネル１３の横線材１３ｂを取り付ける横線材取付溝１３ａ２，１３ａ３，１３ａ４，１３ａ５，１３ａ６のうち、横線材取付溝１３ａ３，１３ａ４，１３ａ５，１３ａ６は、継ぎ足しロッド１３ａの外周部に板状片部を上向きに形成することで設けており、継ぎ足しロッド１３ａに対する横線材１３ｂの取り付けは、横線材取付溝１３ａ３，１３ａ４，１３ａ５，１３ａ６に対して上側から下側に横線材１３ｂを挿入することで行っていた。このため、横線材取付溝１３ａ３，１３ａ４，１３ａ５，１３ａ６に横線材１３ｂを取り付けたとしても、横線材１３ｂが弛む虞があった。
【００６２】
これに対し、図１４及び図１５に示す第一変形例の継ぎ足しロッド１３ａでは、継ぎ足しロッド１３ａの外周部における複数個所に円盤状の突起を設けており、それぞれの円盤状の突起の内面（継ぎ足しロッド１３ａを向く側の面）と継ぎ足しロッド１３ａの外面との隙間に形成された環状溝が、横線材取付溝１３ａ２，１３ａ３，１３ａ４，１３ａ５，１３ａ６となるようにしている。横線材取付溝１３ａ２，１３ａ３，１３ａ４，１３ａ５，１３ａ６は、それぞれの円盤状の突起の全周部に亘って環状に設けられている。このため、図１４の拡大部分に示すように、横線材１３ｂを、円盤状の突起の内側の環状溝（横線材取付溝１３ａ２，１３ａ３，１３ａ４，１３ａ５，１３ａ６）に挿入して巻き付けることができるようになっている。したがって、横線材取付溝１３ａ２，１３ａ３，１３ａ４，１３ａ５，１３ａ６に取り付けた横線材１３ｂが長さ方向に動かないようにし、横線材１３ｂが弛まないようにすることが可能となっている。
【００６３】
横線材取付溝１３ａ２，１３ａ３，１３ａ４，１３ａ５，１３ａ６を形成する円盤状の突起は、継ぎ足しロッド１３ａの本体部分とは別個に作製したものを後から継ぎ足しロッド１３ａの本体部分に固定したものであってもよいが、継ぎ足しロッド１３ａの本体部分と一体的に成形することが好ましい。この点、継ぎ足しロッド１３ａの成形型を、左右に分割した構造（ｘ軸方向に分割した構造）とすれば、上記のような形態を有する継ぎ足しロッド１３ａを射出成形することが可能である。
【００６４】
続いて、第二変形例の継ぎ足しロッド１３ａについて説明する。図１６は、第二変形例の継ぎ足しロッド１３ａの正面側を示した斜視図である。図１７は、第二変形例の継ぎ足しロッド１３ａの背面側を示した斜視図である。図１８は、第二変形例の継ぎ足しロッド１３ａを上下に継ぎ足した状態を背面側から示した斜視図である。図１８の拡大部分については、説明の便宜上、上側に継ぎ足された継ぎ足しロッド１３ａを網掛けハッチングで示している。
【００６５】
第二変形例の継ぎ足しロッド１３ａについては、図１４及び図１５に示した第一変形例の継ぎ足しロッド１３ａと異なる部分についてのみ説明し、第二変形例の継ぎ足しロッド１３ａと共通する部分の説明を割愛する。第二変形例の継ぎ足しロッド１３ａで言及しない構成は、第一変形例の継ぎ足しロッド１３ａや基本形の継ぎ足しロッド１３ａと同様の構成を採用することができる。
【００６６】
図１４及び図１５に示した第一変形例の継ぎ足しロッド１３ａでは、継ぎ足しロッド１３ａの下端面から上向きに設けたスリット１３ａ８における、継ぎ足しロッド１３ａを第一パネル１１（図１１）に取り付けたときに最上段の横方向の網線材１１ｂが位置する箇所と、上から２段目の横方向の網線材１１ｂが位置する箇所とに、それぞれ係止凹部１３ａ９を設けており、これら２つの係止凹部１３ａ９に横方向の網線材１１ｂを係止させるようになっていた。
【００６７】
これに対し、第二変形例の継ぎ足しロッド１３ａでは、図１７に示すように、継ぎ足しロッド１３ａの下部に、左右一対のフック１３ａ１０を２段に設けており、それぞれのフック１３ａ１０の内側部分に、係止凹部１３ａ９を設けている。このフック１３ａ１０は、継ぎ足しロッド１３ａを第一パネル１１（図１１）に取り付ける際に使用するだけでなく、図１８に示すように、ある継ぎ足しロッド１３ａの上部に他の継ぎ足しロッド１３ａを継ぎ足すことも可能にするものとなっている。
【００６８】
すなわち、第二変形例の継ぎ足しロッド１３ａは、図１７に示すように、その上部側面を切り欠いた左右一対の切欠部１３ａ１１を有するところ、図１８に示すように、下側の継ぎ足しロッド１３ａの上部における片面側（ｙ軸方向負側）に、上側の継ぎ足しロッド１３ａの下部を宛がい、上側の継ぎ足しロッド１３ａにおける下段のフック１３ａ１０を、下側の継ぎ足しロッド１３ａにおける左右の切欠部１３ａ１１にそれぞれ挿し込んで係止させるとともに、上側の継ぎ足しロッド１３ａにおける上段のフック１３ａ１０を、下側の継ぎ足しロッド１３ａにおける上端部に係止させることにより、ある継ぎ足しロッド１３ａの上側に他の継ぎ足しロッド１３ａを継ぎ足していくことができるようにしている。
【００６９】
これにより、動物侵入防止柵１０を継ぎ足しロッド１３ａの１段分延長しただけでは、目的の動物が動物侵入防止柵１０を飛び越えてしまう虞がある場合でも、継ぎ足しロッド１３ａを２段以上に配することで、動物侵入防止柵１０をさらに上側に延長し、動物の侵入をより確実に防止することができるようになっている。第二変形例の継ぎ足しロッド１３ａを上下に連結する本数は、特に限定されないが、あまり多数本を連結すると、延長パネル１３の設置安定性が低下する虞がある。このため、第二変形例の継ぎ足しロッド１３ａを上下に連結する本数は、通常、５本まで、好ましくは、３本までとされる。
【００７０】
このように、複数本の継ぎ足しロッド１３ａを上下に連結すると、継ぎ足しロッド１３ａの剛性が問題となり得るところ、第二変形例の継ぎ足しロッド１３ａでは、図１６及び図１７に示すように、その正面側と背面側とに複数本のリブ１３ａ１２を設けている。これにより、継ぎ足しロッド１３ａの剛性を高めることができる。
【００７１】
また、第二変形例の継ぎ足しロッド１３ａを上下に連結していく際には、既に述べたように、下側の継ぎ足しロッド１３ａの上部における片面側（ｙ軸方向負側）に、上側の継ぎ足しロッド１３ａの下部を宛がった状態としていく。このため、第二変形例の継ぎ足しロッド１３ａにおいて、最上段の横線材挟持溝１３ａ２を形成する円盤状の突起を、第一変形例の継ぎ足しロッド１３ａと同様に水平方向（ｙ軸方向負側に突出す向き）に設けていると、継ぎ足しロッド１３ａを上下に連結していく際に、その突起が干渉する虞がある。
【００７２】
したがって、第二変形例の継ぎ足しロッド１３ａでは、最上段の横線材挟持溝１３ａ２を形成する突起を、図１６に示すように、上向きに設けており、その突起が上側に連結される継ぎ足しロッド１３ａに干渉しないようにしている。このほか、横線材挟持溝１３ａ２を形成する突起が干渉しないようにする方法としては、継ぎ足しロッドにおける、その突起が当たり得る箇所に、切り欠き部や凹部を形成する方法や、その突起を取り外し可能な状態で設ける方法等が例示される。これは、最上段の横線材挟持溝１３ａ２を形成する突起だけでなく、上から２段目の横線材挟持溝１３ａ３を形成する突起等、他の突起においても同様である。
【符号の説明】
【００７３】
１０    動物侵入防止柵
１１    第一パネル
１１ａ  縦方向の網線材
１１ｂ  横方向の網線材
１１ｄ  突出部
１１ｅ  被固定部
１２    第二パネル
１２ａ  縦方向の網線材
１２ｂ  横方向の網線材
１２ｃ  掛止部
１２ｄ  突出部
１３    延長パネル
１３ａ  継ぎ足しロッド
１３ａ１  第一パネル取付孔
１３ａ２  横線材挟持溝
１３ａ３  横線材挟持溝
１３ａ４  横線材挟持溝
１３ａ５  横線材挟持溝
１３ａ６  横線材挟持溝
１３ａ７  下向き凸部
１３ａ８  スリット
１３ａ９  係止凹部
１３ａ１０  フック
１３ａ１１  切欠部
１３ａ１２  リブ
１３ｂ  横線材
２０    支持フレーム
２１    第一リング
２２    第二リング
２３    第三リング
３０    アンカー
３０ａ  アンカー（第一パネル用）
３０ｂ  アンカー（第二パネル用）
３１    アンカー本体
３１ａ  別体挿入部
３１ｂ  可動片部
３１ｃ  対象物保持部
３２    アンカー別体
４０    パネル連結具
４１    バネアーム
４２    バネアーム
５０    動物侵入防止区画
５１    境界線
６０    動物
Ｇ    地面
θ    第二パネルの傾斜角度
【図１】
2020062005.tif 000003
【図２】
2020062005.tif 000004
【図３】
2020062005.tif 000005
【図４】
2020062005.tif 000006
【図５】
2020062005.tif 000007
【図６】
2020062005.tif 000008
【図７】
2020062005.tif 000009
【図８】
2020062005.tif 000010
【図９】
2020062005.tif 000011
【図１０】
2020062005.tif 000012
【図１１】
2020062005.tif 000013
【図１２】
2020062005.tif 000014
【図１３】
2020062005.tif 000015
【図１４】
2020062005.tif 000016
【図１５】
2020062005.tif 000017
【図１６】
2020062005.tif 000018
【図１７】
2020062005.tif 000019
【図１８】
2020062005.tif 000020